(57)【特許請求の範囲】
【請求項１】
楽曲を再生する音響装置であって、
オーディオ機器から伝送される、単一のデータに連続して複数の楽曲データが含まれる音響信号を受信する音響信号受信手段と、
前記オーディオ機器から伝送される、前記楽曲データの境界を示す曲間信号を受信する曲間信号受信手段と、
前記音響信号受信手段によって受信された前記音響信号が伝送され、伝送される当該音響信号を所定量ずつ蓄積する蓄積手段と、
前記蓄積手段によって蓄積された前記音響信号が伝送され、伝送される当該音響信号を再生する再生手段と、
前記オーディオ機器から前記曲間信号受信手段へ伝送される前記曲間信号が前記曲間信号受信手段によって受信されたタイミングと、前記オーディオ機器から前記音響信号受信手段および前記蓄積手段を介して前記再生手段へ伝送され前記再生手段によって再生される前記音響信号における無音区間の継続時間とに基づき、前記楽曲データの境界を判定する判定手段と
を備え、
前記判定手段は、
前記再生手段によって再生される前記音響信号における前記無音区間が開始してから所定時間以内に前記曲間信号受信手段によって前記曲間信号が受信された場合に、前記再生手段によって再生される当該無音区間が前記楽曲データの境界であると判定することを特徴とする音響装置。
【請求項２】
さらに、前記判定手段は、
前記曲間信号受信手段によって前記曲間信号が受信され、かつ、前記再生手段によって再生される前記音響信号における前記無音区間が所定の時間継続した場合に、前記再生手段によって再生される当該無音区間が前記楽曲データの境界であると判定することを特徴とする請求項１に記載の音響装置。
【請求項３】
さらに、前記判定手段は、
前記曲間信号受信手段によって前記曲間信号が受信されてから所定時間以内に再生手段によって再生される前記音響信号における前記無音区間が開始した場合に、前記再生手段によって再生される当該無音区間が前記楽曲データの境界であると判定することを特徴とする請求項２に記載の音響装置。
【発明の詳細な説明】
【技術分野】
【０００１】
この発明は、楽曲を再生する音響装置に関する。
【背景技術】
【０００２】
従来、ＵＳＢ（Universal  Serial  Bus）メモリー、ｉ−Ｐｏｄ（登録商標）およびＣＤ（Compact  Disc）などの外部メディアに記憶されるメディアデータを再生する音響装置が知られている。なお、メディアデータとは、たとえば、楽曲データや映像データを指す。
【０００３】
たとえば、特許文献１には、ＣＤやＣＤ−Ｒ／ＲＷ（CD-Recordable／ReWritable）などのディスクに記憶されているファイル型のデータを読み込み、楽曲データを再生する音響装置が開示されている。
【０００４】
かかる音響装置は、ファイルごとに付与されている楽曲の変わり目（以下、「曲間」と記載する）の情報として曲間信号を検知し、楽曲ごとの再生や、つぎの楽曲へ移動させて再生を行うスキップ再生などを実行する。
【先行技術文献】
【特許文献】
【０００５】
【特許文献１】特許第３７７５６６３号公報
【発明の概要】
【発明が解決しようとする課題】
【０００６】
しかしながら、従来の音響装置は、単一のデータに連続して複数の楽曲データが含まれるストリーム型のデータ（以下、「ストリームデータ」と記載する）の曲間を正確に検知することができないという問題があった。
【０００７】
たとえば、従来の音響装置は、音が途絶することなくストリームデータを再生するために、所定量のストリームデータを蓄積（以下、「バッファリング」と記載する）する。また、従来の音響装置は、所定の形式に圧縮されているストリームデータを受信した場合、復元（以下、「デコード」と記載する）してから音声を再生することとなる。
【０００８】
このため、従来の音響装置は、受信したストリームデータのバッファリングおよびデコードを行うため、実際に音声が再生されるまでにタイムラグが発生する。
【０００９】
これにより、従来の音響装置は、楽曲の境界を示す曲間信号を受信したタイミングと、実際に再生される音声の曲間との間に時間的な差が生じてしまう。したがって、従来の音響装置は、曲間信号を受信した時点で、実際に再生されている音声が曲間ではないにもかかわらず、曲間であると誤検知してしまうこととなる。
【００１０】
これらのことから、単一のデータに連続して複数の楽曲データが含まれるストリーム型のデータを受信した場合であっても、曲間を正確に検知することができる音響装置をいかにして実現するかが大きな課題となっている。
【００１１】
この発明は、上述した従来技術による問題点を解消するためになされたものであり、ストリーム型のデータを受信した場合であっても、曲間を正確に検知することができる音響装置を提供することを目的とする。
【課題を解決するための手段】
【００１２】
上述した課題を解決し、目的を達成するため、本発明は、楽曲を再生する音響装置であって、単一のデータに連続して複数の楽曲データが含まれる音響信号を受信する音響信号受信手段と、前記楽曲データの境界を示す曲間信号を受信する曲間信号受信手段と、前記音響信号受信手段によって受信された前記音響信号を再生する再生手段と、前記曲間信号受信手段によって前記曲間信号が受信されたタイミングと、前記再生手段によって再生される前記音響信号における無音区間の継続時間とに基づき、前記楽曲データの境界を判定する判定手段とを備えたことを特徴とする。
【発明の効果】
【００１３】
本発明によれば、単一のデータに連続して複数の楽曲データが含まれるストリーム型のデータであっても、曲間を正確に検知することができるという効果を奏する。
【図面の簡単な説明】
【００１４】
【図１】図１は、本実施例に係る音響装置の動作概要を示す図である。
【図２】図２は、本実施例に係る音響装置の構成を示すブロック図その１である。
【図３】図３は、本実施例に係る音響装置の構成を示すブロック図その２である。
【図４】図４は、曲間信号を説明するための図である。
【図５】図５は、曲間判定処理を説明するための図である。
【図６】図６は、ストリームデータ再生処理手順の概要を示すシーケンス図である。
【発明を実施するための形態】
【００１５】
以下に添付図面を参照して、本発明に係る音響装置の好適な実施例を詳細に説明する。なお、以下では、まず、本発明の実施形態に係る音響装置の概要について図１を用いて説明した後に、その具体的構成等を示す実施例を図２〜図６を用いて説明する。
【００１６】
図１は、本発明の実施形態に係る音響装置の動作概要を示す図である。なお、図１の（Ａ）には、従来の音響装置の問題点を、図１の（Ｂ）には、本発明の実施形態に係る音響装置の特徴を、それぞれ示している。
【００１７】
本発明の実施形態に係る音響装置は、ストリームデータを受信するとともに曲間を示す曲間信号を受信し、かつ、無音区間が所定の時間継続したならば、実際に再生される音声の曲間であると判定する点に主たる特徴がある。
【００１８】
なお、ストリームデータとは、単一のデータに連続して複数の楽曲データが含まれる形式のデータを指す。また、本実施例では、ストリームデータの音響信号が無音となる状態が継続する区間を「無音区間」と呼ぶこととする。
【００１９】
従来の音響装置は、たとえば、ＵＳＢ（Universal  Serial  Bus）メモリーオーディオやｉ−Ｐｏｄ（登録商標）等の外部メディアなどに記憶されるストリームデータを受信して、音声を再生するものがあり、近年徐々に普及が進んでいる。
【００２０】
図１の（Ａ）には、従来の音響装置の受信部が、ストリームデータの曲α、無音区間および曲βを受信して、再生部が音声を再生する場合について示した。なお、図１の（Ａ）に示す横軸は時間であり、ここでは、曲αと無音区間との間を曲間とする。また、図１では、無音区間を強調するために、無音区間の長さを長く記載した。
【００２１】
図１の（Ａ）に示したように、オーディオ機器は、曲α、無音区間および曲βを順次、従来の音響装置の受信部へ送信する。また、オーディオ機器は、曲αの終点付近で曲間信号を受信部へ送信する。
【００２２】
一方、従来の音響装置の受信部は、音が途絶することなくストリームデータを再生するために、所定量のストリームデータをバッファリングし、バッファリング単位で以下の処理を行う。ここでは、曲αから曲βまでをバッファリングする場合について示す。
【００２３】
図１の（Ａ）に示したように、従来の音響装置の受信部がストリームデータのバッファリングを開始する時刻は、オーディオ機器からストリームデータが送信されてから音響装置が受信するまでの通信時間（ｔ）だけ遅延する。
【００２４】
そして、従来の音響装置の受信部は、曲αを受信後、オーディオ機器から無音区間および曲βまでのストリームデータをバッファリングする。
【００２５】
なお、ストリームデータは、一般的に所定の形式に圧縮されている。このため、従来の音響装置の受信部では、バッファリングしたストリームデータのデコードを行う。その後、従来の音響装置の再生部は、デコードされた曲を再生する。
【００２６】
また、ストリームデータと曲間信号とは伝送経路が異なる。このため、従来の音響装置の再生部が曲間信号を受信するタイミングは、必ずしも時間ｔ遅延するものではない。ここでは、受信部は、曲間信号を遅延なく受信したものとして説明する。
【００２７】
従来の音響装置の再生部では、ストリームデータを受信してから音声を再生するまでに、バッファリングおよびデコードの処理に時間を要する。これにより、従来の音響装置の再生部では、曲間信号を受信したタイミングより遅れて無音区間が再生されることとなる。なお、バッファリングおよびデコードの処理時間は、バッファリングごとに一定ではない。
【００２８】
具体的には、従来の音響装置の再生部では、図１の（Ａ）に示したように、曲間信号を受信したタイミングと、実際に再生される音声の曲間とは、不定期なタイムラグが発生することとなる。
【００２９】
したがって、曲間信号を受信したタイミングで、音響装置が何らかの制御を行う場合に、不具合が生じてしまう。たとえば、音響装置は、楽曲データの音量の調整（以下、「音量補正」と記載する）を楽曲ごとに行い、音声の再生を行っている。
【００３０】
ここで、正確に曲間が検知されなかった場合に、音響装置では、楽曲ごとの音量補正が適正に行われず、ユーザに対して違和感を与えてしまうこととなる。このため、ストリームデータの曲間が正確に検知されることが望ましい。
【００３１】
また、曲中に所定時間の無音区間が存在する楽曲も多々あり、曲中であるにも関わらず曲間であると誤判定される場合も発生する。これらのことを鑑みて、本発明の実施形態に係る音響装置は、実際に再生される無音区間の継続時間と、曲間信号の受信の有無とに基づいて曲間の判定を行うこととした。
【００３２】
具体的には、本発明の実施形態に係る音響装置は、図１の（Ｂ）に示したように、曲間信号を受信し（図１の（Ｂ）の（１）参照）、かつ、受信したストリームデータが無音である区間の継続時間が所定の時間よりも長い場合（図１の（Ｂ）の（２）参照）に、曲間であると判定することとした（図１の（Ｂ）の（３）参照）。
【００３３】
これにより、本発明の実施形態に係る音響装置は、単一のデータに連続して複数の楽曲データが含まれるストリーム型のデータを受信した場合であっても、曲間を正確に検知することができる。
【００３４】
そして、音量補正処理に適用する場合には、上述してきたように曲間を正確に検知することによってストリームデータであっても適正に音量補正を行うことができる。
【実施例】
【００３５】
以下では、図１を用いて説明した本発明の実施形態に係る音響装置についての実施例を詳細に説明する。まず、本実施例に係る音響装置１０の構成について図２および図３を用いて説明する。図２は、音響装置１０の構成を示すブロック図その１であり、図３は、音響装置１０の構成を示すブロック図その２である。
【００３６】
なお、図２では、音響装置１０の概要について説明し、図３では、音響装置１０の特徴点を説明するために必要な構成要素について説明する。
【００３７】
まず、図２に示したように、音響装置１０は、表示操作部１１と、通信Ｉ／Ｆ（インターフェース）１２と、マルチメディア統合マイコン１４と、ＤＳＰ（Digital  Signal  Processor）１６とを備える。
【００３８】
また、マルチメディア統合マイコン１４は、モード管理部１４ｅと、制御部１４０と、送受信部１４ｂとをさらに備え、制御部１４０は、ＤＶＤ（Digital  Versatile  Disk）制御部１４ｆと、ＤＴＶ（Digital  Television）制御部１４ｇと、ＵＳＢ制御部１４ａと、ＳＤ（Secure  Digital）制御部１４ｉとを備える。
【００３９】
なお、音響装置１０には、ＤＶＤ４０と、ＤＴＶ５０と、オーディオ機器２０と、ＳＤメモリーカード（Secure  Digital  memory  card）６０とが接続されている。
【００４０】
表示操作部１１は、たとえば、タッチパネルディスプレイなどの入出力デバイスであり、再生中のメディアデータの種別などを表示する表示部と、メディアデータの切替操作や再生操作などを行うための操作部とで構成される。
【００４１】
通信Ｉ／Ｆ１２は、各種メディアデータが記憶される他装置との通信を可能にするデバイスで構成される。たとえば、通信Ｉ／Ｆ１２は、ＤＶＤ４０とマルチメディア統合マイコン１４との間でデータ送受信を行う。
【００４２】
マルチメディア統合マイコン１４は、音響装置１０の全体制御を行う制御部である。具体的には、ユーザによる切替操作によって切り替えられたメディアデータを受信し、各メディアデータの再生処理を行うＤＳＰ１２へ出力する。
【００４３】
モード管理部１４ｅは、ユーザによる切替操作によって切り替えられたメディアデータの種別などを管理する。また、モード管理部１４ｅは、表示操作部１１からの各種操作を受け付けた場合に、再生中や選択されたメディアデータの種別に基づいて各装置に対応する制御部へ処理を振り分ける。
【００４４】
たとえば、モード管理部１４ｅは、ＤＶＤ４０の再生操作を受け付けた場合に、ＤＶＤ４０からメディアデータを受信し、再生処理を行うようＤＶＤ制御部１４ｆへ指示する。
【００４５】
制御部１４０は、各メディアデータの制御を行う。具体的には、ＤＶＤ制御部１４ｆは、ＤＶＤ４０に記憶されるメディアデータの再生制御を行い、ＤＴＶ制御部１４ｇは、ＤＴＶ５０から受信するＤＴＶの放送波の受信および再生の制御を行う制御部である。
【００４６】
また、ＵＳＢ制御部１４ａは、オーディオ機器２０に記憶されるメディアデータの再生制御を行い、ＳＤ制御部１４ｉは、ＳＤメモリーカード６０に記憶されるメディアデータの再生制御を行う制御部である。なお、ここでは、オーディオ機器２０は、たとえば、ｉ−Ｐｏｄ（登録商標）等のストリームデータが記憶されるオーディオ機器２０である。
【００４７】
送受信部１４ｂは、通信Ｉ／Ｆ１２経由で、各装置との間でメディアデータや楽曲情報などのデータの送受信を行う処理を行う処理部である。
【００４８】
また、音響装置１０では、送受信部１４ｂによって受信された各装置に記憶されるメディアデータをＤＳＰ１６へ渡し、メディアデータを再生する。ＤＳＰ１６は、マルチメディア統合マイコン１４から受け付けたメディアデータを図示しないアンプ経由でスピーカ３０へ渡すことによって音響信号を再生する処理を行う処理部である。
【００４９】
なお、図２に示したような音響装置１０の構成要素については、これに限定されるものではない。たとえば、ブルートゥース（Bluetooth：登録商標）などの近距離無線通信を用いて、携帯電話端末などから受信したメディアデータも再生することができる構成としてもよい。
【００５０】
つづいて、音響装置１０の特徴点を説明するために必要な構成要素について図３を用いて説明する。
【００５１】
図３に示したように、音響装置１０は、表示操作部１１と、通信Ｉ／Ｆ１２と、記憶部１３と、マルチメディア統合マイコン１４と、オーディオマイコン１５と、ＤＳＰ１６とを備えている。
【００５２】
また、マルチメディア統合マイコン１４は、ＵＳＢ制御部１４ａと、送受信部１４ｂと、バッファリング部１４ｃと、デコード部１４ｄとをさらに備え、オーディオマイコン１５は、曲間検知部１５ａと、曲間判定部１５ｂとをさらに備える。
【００５３】
また、ＤＳＰ１６は、再生部１６ａをさらに備え、記憶部１３は、ストリームデータ１３ａを記憶する。なお、音響装置１０には、挿抜可能なオーディオ機器２０と、スピーカ３０とが接続されている。
【００５４】
表示操作部１１は、たとえば、タッチパネルディスプレイなどの入出力デバイスであり、再生中の曲名などを表示する表示部と、曲の再生操作やスキップ操作などを行うための操作部とで構成される。
【００５５】
表示操作部１１は、オーディオ機器２０に対する所定の操作を受け付けた場合に、ＵＳＢ制御部１４ａへ操作内容を渡す。なお、表示操作部１１に備える構成部品は限定する必要はなく、表示部と操作部とが別体となるような構成としてもよい。
【００５６】
通信Ｉ／Ｆ１２は、他装置との通信を可能にするデバイスで構成され、たとえば、オーディオ機器２０とマルチメディア統合マイコン１４との間でデータ送受信を行う。
【００５７】
記憶部１３は、不揮発性メモリーやハードディスクドライブといった記憶デバイスで構成される記憶部である。たとえば、記憶部１３は、オーディオ機器２０から送受信部１４ｂおよびバッファリング部１４ｃ経由で受信したストリームデータ１３ａを記憶する。なお、記憶部１３は、揮発性メモリーであってもよい。
【００５８】
マルチメディア統合マイコン１４は、音響装置１０の全体制御を行う制御部である。ＵＳＢ制御部１４ａは、音響装置１０に接続されるオーディオ機器２０に記憶されるストリームデータの再生制御を行う制御部である。
【００５９】
具体的には、ＵＳＢ制御部１４ａは、表示操作部１１から図示しないモード管理部１４ｅ経由でオーディオ機器２０に記憶される楽曲データの再生操作を受け付けた場合、送受信部１４ｂへかかる楽曲データを受信するように指示をする。
【００６０】
また、ＵＳＢ制御部１４ａは、送受信部１４ｂ経由でオーディオ機器２０が送信した曲間信号を受信し、曲間検知部１５ａへ渡す処理を併せて行う。なお、曲間信号の詳細については図４を用いて後述する。
【００６１】
送受信部１４ｂは、通信Ｉ／Ｆ１２経由で、オーディオ機器２０との間でデータ送受信を行う処理を行う処理部である。
【００６２】
たとえば、送受信部１４ｂは、オーディオ機器２０に記憶されるストリームデータを受信し、バッファリング部１４ｃへ渡す。また、送受信部１４ｂは、オーディオ機器２０から曲間信号を受信した場合に、ＵＳＢ制御部１４ａへ曲間信号を渡す。
【００６３】
バッファリング部１４ｃは、送受信部１４ｂから受け付けたストリームデータを一時的に記憶部１３へ記憶させる処理を行う処理部である。
【００６４】
デコード部１４ｄは、記憶部１３へ記憶されるストリームデータ１３ａが所定の大きさとなった場合に、ストリームデータ１３ａのデコードを行い、デコード後の楽曲データを再生部１６ａへ渡す処理を行う処理部である。
【００６５】
なお、音響装置１０は、オーディオ機器２０からストリームデータを受信し、バッファリングしないで、逐次デコードを行い、楽曲データを再生した場合に、再生する音が途絶してしまうことがある。
【００６６】
なぜなら、所定のタイミングにおいて再生速度よりデコード速度が遅くなった場合、再生部１６ａによって再生されるデコード後の楽曲データが一時的になくなり、再生する音が途絶することとなる。したがって、上記したように、ストリームデータをバッファリングすることによって音が途絶するのを防止することができる。
【００６７】
オーディオマイコン１５は、音響装置１０が制御する楽曲データや映像データのうち、楽曲データの制御を行う制御部である。
【００６８】
曲間検知部１５ａは、ＵＳＢ制御部１４ａ経由でオーディオ機器２０からの曲間信号を受け付け、曲間判定部１５ｂへ渡す処理を行う処理部である。
【００６９】
曲間判定部１５ｂは、曲間検知部１５ａから受け付けた曲間信号と再生部１６ａが再生中の楽曲データの無音区間の継続時間の情報とに基づいて曲間であるか否かを判定する処理を行う処理部である。
【００７０】
また、曲間判定部１５ｂは、曲間であると判定した場合に、ＤＳＰ１６へ曲間である旨を通知する処理を併せて行う。なお、曲間判定部１５ｂが実行する曲間判定処理の詳細については図５を用いて後述する。
【００７１】
ＤＳＰ１６は、デコード部１４ｄから受け付けたデコード後の楽曲データを再生する処理を行う処理部である。また、ＤＳＰ１６は、かかるデータを再生する際、ユーザに対して適正な音量の音響信号を再生することができるよう、楽曲ごとに音量の補正処理や音響信号の調整処理を併せて行う。
【００７２】
具体的には、ＤＳＰ１６は、曲間判定部１５ｂから曲間である通知を受け付けた場合に、次の楽曲データの音響信号に対して音量補正や調整を行う。
【００７３】
再生部１６ａは、ＤＳＰ１６によって音量補正または調整された音響信号をスピーカ３０へ渡すことによる楽曲データの再生処理を行う処理部である。
【００７４】
また、再生部１６ａは、再生中の楽曲データの無音区間の情報を曲間判定部１５ｂへ渡す処理を併せて行う。なお、無音区間の情報としては、再生中の楽曲データの音量でもよいし、再生中の楽曲データ自体であってもよい。スピーカ３０は、ＤＳＰ１６から受け付けた音響信号を音声情報として出力する。
【００７５】
なお、マルチメディア統合マイコン１４で行う各処理を、オーディオマイコン１５側で行うこととしてもよいし、オーディオマイコン１５で行う各処理をマルチメディア統合マイコン１４側で行うこととしてもよい。
【００７６】
たとえば、マルチメディア統合マイコン１４によってバッファリングされたストリームデータ１３ａを、オーディオマイコン１５がデコードして、デコード後の楽曲データをＤＳＰ１６へ渡すこととしてもよい。
【００７７】
つぎに、ストリームデータと曲間信号との関連について図４を用いて説明する。図４は、曲間信号を説明するための図である。図４に示したように、曲Ａ、曲Ｂおよび曲Ｃが連続して含まれているストリームデータの場合について説明する。
【００７８】
各曲に対応する音量レベルを、図４の中段に示した。なお、音量レベル０を、音響信号が無音となる状態であるとする。図４の中段に示したように、ストリームデータの曲間には、無音区間が所定の時間継続する。
【００７９】
オーディオ機器２０は、記憶されるストリームデータを音響装置１０へ送信する場合、曲間の変化を通知するための情報として、楽曲ごとに０または１の信号を曲間信号として音響装置１０へ通知する。
【００８０】
具体的には、図４の下段に示したように、オーディオ機器２０は、曲Ａのデータを送信している際には、曲間信号０を送信し、曲Ｂの際には曲間信号１、曲Ｃの際には曲間信号０を送信することによって楽曲の変更を通知する。なお、オーディオ機器２０は、ストリームデータとは異なる伝送経路によって（あるいはストリームデータとは別の独立したデータとして）曲間信号を音響装置１０へ送信するため、音響装置１０によって実際に再生される音声の曲間とは、不定期な差分が発生する。
【００８１】
つぎに、曲間判定部１５ｂが実行する曲間判定処理の詳細について図５を用いて説明する。図５は、曲間判定処理を説明するための図である。
【００８２】
なお、曲間検知部１５ａが曲間信号を受信したタイミングと、再生部１６ａが再生中の楽曲データの無音区間の情報を曲間判定部１５ｂが受け付けたタイミングとの関係が異なる三つの場合について、それぞれ説明する。
【００８３】
図５の（Ａ）には、曲間信号を受信したタイミングと無音区間の開始時とが同じ場合について示し、図５の（Ｂ）には、曲間信号を受信したタイミングが無音区間の開始時より早い場合について示す。
【００８４】
また、図５の（Ｃ）には、曲間信号を受信したタイミングが無音区間の開始時より遅い場合について示す。なお、ここで判定する曲間とは、再生部１６ａによって実際に再生される音声の曲間のことを示す。また、図５の（Ａ）、（Ｂ）および（Ｃ）に示す横軸は時間である。
【００８５】
まず、図５の（Ａ）に示したように、曲間信号を受信したタイミングと無音区間の開始時とが同じ場合には、曲間判定部１５ｂは、曲間信号を受信し、かつ、無音区間が所定の時間継続した時点を、曲間であると判定する。
【００８６】
また、図５の（Ｂ）には、バッファリング部１４ｃが受信したストリームデータをバッファリングする時間およびデコード部１４ｄが記憶部１３に記憶されるストリームデータ１３ａをデコードする時間のタイムラグが発生する場合について示した。この場合、曲間信号を受信したタイミングは、無音区間の開始時より早くなる。
【００８７】
また、かかるタイムラグの時間には、ばらつきがあるため、曲間判定部１５ｂは、無音区間の開始時より所定時間（Ｓ１）前から無音区間の開始時までの間に曲間信号が受信され、かつ、無音区間が所定の時間継続した時点を、曲間であると判定する。
【００８８】
具体的には、曲間判定部１５ｂは、曲間信号を受信した場合、曲間信号を受信してから所定時間（Ｓ１）以内に無音区間が開始され、かつ、無音区間が所定の時間継続したならば、曲間であると判定する。
【００８９】
また、オーディオ機器２０と音響装置１０との通信状態によってはオーディオ機器２０からの曲間信号を受信するタイミングが遅延する場合もある。この場合、図５の（Ｃ）に示したように、曲間信号を受信したタイミングが無音区間の開始時より遅くなる。
【００９０】
そこで、曲間判定部１５ｂは、無音区間の開始時（ｔ１）から所定時間（Ｓ２）以内に曲間信号を受信し、かつ、無音区間が所定の時間継続した時点を、曲間であると判定する。
【００９１】
具体的には、曲間判定部１５ｂは、曲間信号を受信した場合、無音区間を検知し、かかる無音区間が曲間信号の受信時より前に開始され、無音区間が開始してから曲間信号を受信するまでの時間が所定時間（Ｓ２）以内であり、かつ、無音区間が所定の時間継続したならば、曲間であると判定する。
【００９２】
このように曲間の判定を行うことにより、音響装置１０は、バッファリングおよびデコードのタイムラグや、曲間信号の遅延による曲間の誤検知を防止することができる。
【００９３】
なお、ノンストップＣＤ（Compact  Disc）のような構成のストリームデータの場合、曲間信号を受信するとともに曲間にわずかの無音区間が含まれる。しかし、ノンストップＣＤの場合は、楽曲ごとに音量補正が行われずに音声が再生されることが望ましい。
【００９４】
したがって、音響装置１０は、上記したように無音区間が所定の時間継続した場合に、曲間であると判定することにより、ノンストップＣＤであっても曲間の誤検知を防止することができ、曲間に応じて音量補正を適正に行うことが可能となる。なお、無音区間の継続時間の閾値、無音区間の開始時と曲間信号の受信タイミングとの差分の閾値（Ｓ１、Ｓ２）は、所定の閾値とし、ユーザによって変更可能とする。
【００９５】
つぎに、音響装置１０が実行するストリームデータ再生処理の詳細について図６を用いて説明する。図６は、ストリームデータ再生処理手順の概要を示すシーケンス図である。なお、ここでは、図１に示したストリームデータを受信した場合について説明する。
【００９６】
オーディオ機器２０からストリームデータを受信した場合、まず、マルチメディア統合マイコン１４は、曲αを受信し、受信した曲αのストリームデータをバッファリングする（ステップＳ１０１）。
【００９７】
その後、マルチメディア統合マイコン１４は、曲間信号を受信し（ステップＳ１０２）、オーディオマイコン１５へ曲間信号を渡すことによってオーディオマイコン１５では、曲間を検知する（ステップＳ１０３）。
【００９８】
つづいて、マルチメディア統合マイコン１４は、無音区間を受信し、受信した無音区間のストリームデータをバッファリングする（ステップＳ１０４）。また、マルチメディア統合マイコン１４は、曲βを受信し、受信した曲βのストリームデータをバッファリングする（ステップＳ１０５）。
【００９９】
そして、マルチメディア統合マイコン１４は、バッファリングされたストリームデー１３ａタをデコードし（ステップＳ１０６）、ＤＳＰ１６へデコード後のデータを渡す。
【０１００】
一方、ＤＳＰ１６は、デコード後のデータを楽曲ごとに音量の補正処理や音響信号の調整処理を行うとともに、音量補正または調整された音響信号をＤ／Ａ（digital  to  analog）変換および電力増幅し、スピーカ３０へ渡すことによって曲αから順次再生する（ステップＳ１０７）。また、ＤＳＰ１６は、再生中の楽曲データの無音区間の情報をオーディオマイコン１５へ渡す。
【０１０１】
そして、オーディオマイコン１５は、曲間信号および無音区間の情報に基づいて曲間の判定処理を行い（ステップＳ１０８）、曲間であると判定した場合には、ＤＳＰ１６へ曲間である旨を通知する。
【０１０２】
なお、曲間の判定処理の詳細については、図５の（Ａ）、（Ｂ）および（Ｃ）を用いて上述したように、三つのパターンに種別して判定する。具体的には、曲間信号を受信したタイミングと無音区間の開始時とが同じ場合、曲間信号を受信したタイミングが無音区間の開始時より早い場合、および、曲間信号を受信したタイミングが無音区間の開始時より遅い場合である。
【０１０３】
その後、ＤＳＰ１６は、オーディオマイコン１５からの曲間である通知を受け付けたならば、次の曲（曲β）に対して音量補正を行い（ステップＳ１０９）、音量補正が行われた曲βを再生し（ステップＳ１１０）、一連のストリームデータ再生処理を終了する。
【０１０４】
上述してきたように、本実施例では、オーディオマイコンが、曲間信号を受信し、かつ、無音区間が所定の時間継続したならば、ＤＳＰによって実際に再生される音声の曲間であると判定することとしたので、単一のデータに連続して複数の楽曲データが含まれるストリーム型のデータを受信した場合であっても、曲間を正確に検知することができる。
【０１０５】
なお、上述した実施例では、オーディオ機器に記憶されるストリームデータに本発明を適用した場合について説明したが、ＤＴＶやＤＶＤなど他装置から受信するストリームデータに本発明を適用することとしてもよい。
【符号の説明】
【０１０６】
１０    音響装置
１１    表示操作部
１２    通信Ｉ／Ｆ
１３    記憶部
１３ａ  ストリームデータ
１４    マルチメディア統合マイコン
１４ａ  ＵＳＢ制御部
１４ｂ  送受信部
１４ｃ  バッファリング部
１４ｄ  デコード部
１５    オーディオマイコン
１５ａ  曲間検知部
１５ｂ  曲間判定部
１６    ＤＳＰ
１６ａ  再生部
２０    オーディオ機器
３０    スピーカ
【図１】
0006005910.tif 000002
【図２】
0006005910.tif 000003
【図３】
0006005910.tif 000004
【図４】
0006005910.tif 000005
【図５】
0006005910.tif 000006
【図６】
0006005910.tif 000007